(57)【特許請求の範囲】
【請求項１】
上端側に指を挿入して引掛けるための指掛部を備えた下着としてのパンツにおいて、前記指掛部は、少なくとも指を挿入して引掛けることが可能な長さ及び深さで横方向に形成されたスリットを有したものとして少なくともパンツ前面左右側に対で設けられており、且つ、下側のスリット構成部材上端側の所定範囲に上側のスリット構成部材下端側が外側から被さって重なっており、前記上下のスリット構成部材は少なくとも前記スリットの全長に亘る帯状の補強材を互いに重なる位置で各々有して他の部分と比べて形態維持能が強化されており、斜め上向きに曲げた指先でパンツ表面をなぞるように前記スリットの下方から上向きに指を動かすことで前記指先が前記スリットにそのまま挿入されて指の引掛け動作が完了し、少なくとも指を挿入していない装着状態では、前記スリット構成部材の重なりにより前記スリットが閉じた状態を維持することを特徴としたパンツ。
【発明の詳細な説明】
【技術分野】
【０００１】
本発明は、ショーツやブリーフなど下着としてのパンツに関し、殊に、手足が不自由な高齢者・非健常者が脱ぎ着しやすくしたパンツに関する。  
【背景技術】
【０００２】
病気で体が不自由になった非健常者や手足が動きにくくなった高齢者にとって、自分で下着を脱ぎ着して排泄や入浴が行えるか否かが重要な意味を持っている。例えば、脳卒中による後遺障害で手足が不自由になり、リハビリ療法が必要になった場合、自分で下着を脱ぎ着出来ない状況が長く続くことにより、自信を失いやすくなることに加え介護者に総て依存することに慣れてしまうため、病気を克服する意欲を失ってしまうケースも多い。
【０００３】
これに対し、下着を自分で脱ぎ着して排泄等を自分で行うことができれば、自分に対し自信を持つことができ、病気を克服しようという意欲が沸いてリハビリに積極的に取り組めるようになる。そこで、パンツ上端側所定位置に指を入れられる大きさの輪形状の指掛部を外周方向に突設した非健常者用の衣服が、特開２０００−２６５３０７号公報に提案された。
【０００４】
この指掛部があることで、手指がある程度不自由であっても指を曲がった状態のまま挿入して引っ掛けながらパンツを上下に動かせるようになるため、その脱ぎ着を自分で行いやすいものとなる。しかしながら、このパンツは輪形状の指掛部が上端部から外側に大きく突出している構造であることから、身の回りの鈎状物や突出物に不意に引っ掛かって転倒等の事故に繋がる畏れもあるため、安全性において難点がある。
【０００５】
また、せっかく健常者のように自分で脱ぎ着できるようになっても、指掛部が輪状に大きく突出した外観であることから、デザイン性に優れないとともに非健常者用であることがすぐに他人に分かってしまうため、見栄えの悪さがネックとなって下着を見られるような場所を避ける要因となり、生活上の行動範囲を狭めることに繋がりやすい。
【０００６】
一方、その指掛部を輪形状とする代わりに、横向き又は縦向きのスリット（切込み）にすることも考えられる。ところが、単にスリットを設けるだけでは、最初は閉じていても使用によりスリット構成部材の合わせ部分が弛んで常に開いた開口窓となってしまうため、その部分で腹部の肌が露出して極めて見栄えの悪い状況になってしまう。
【先行技術文献】
【特許文献】
【０００７】
【特許文献１】特開２０００−２６５３０７号公報
【発明の概要】
【発明が解決しようとする課題】
【０００８】
本発明は、上記のような問題を解決しようとするものであり、手足が不自由な高齢者・非健常者が使用するパンツについて、安全性と外観を損なうことなく脱ぎ着の容易さを確保できるようにすることを課題とする。
【課題を解決するための手段】
【０００９】
そこで、本発明は、上端側に指を挿入して引掛けるための指掛部を備えた下着としてのパンツにおいて、その指掛部は、少なくとも指を挿入して引掛けることが可能な長さ及び深さで横方向に形成されたスリットを有したものとして少なくともパンツ前面左右側に対で設けられており、且つ、下側のスリット構成部材上端側の所定範囲に上側のスリット構成部材下端側が外側から被さって重なっており、その上下のスリット構成部材は少なくともスリットの全長に亘る帯状の補強材を互いに重なる位置で各々有して他の部分と比べて形態維持能が強化されており、斜め上向きに曲げた指先でパンツ表面をなぞるようにスリットの下方から上向きに指を動かすことで指先がスリットにそのまま挿入されて指の引掛け動作が完了し、少なくとも指を挿入していない装着状態では、スリット構成部材の重なりによりスリットが閉じた状態を維持する、ことを特徴とするものとした。
【００１０】
このように、パンツ上端側で指を挿入して引掛けるための指掛け部を、横向きのスリットとするとともに上側のスリット構成部材が下側のスリット構成部材に被さって重なり部分を形成する構成としたことにより、視力の低下した使用者であってもパンツ表面を指でなぞって動かすだけで、重なり部分の段差により指掛け部の位置が触覚で認識できるとともにそのまま指がスリットに入るため、指の挿入・引掛け動作は極めて容易なものとなり、且つ、通常はスリットが閉じた状態を維持することから、周囲のものに引掛かるのを回避できるとともに、その部分で開口して肌を露出することがなくなるため、装着時の外観を損ないにくいものとなる。これに加え、上下のスリット構成部材が帯状の補強材を厚さ方向に互いに重なる位置に各々有していることで、頻繁に指を掛けて引っ張る部分であっても不可逆的な伸び変形を最小限に抑えて外観の悪化を少なくすることが可能となるとともに、スリットの下側が緩んで指を挿入しにくくなったり外観を損なったりしにくいものとなる。
【発明の効果】
【００１６】
指掛部において上側のスリット構成部材が下側のスリット構成部材に被さって重なるものとした本発明によると、安全性と外観を損なうことなく脱ぎ着の容易さを実現できるものである。
【図面の簡単な説明】
【００１７】
【図１】本発明における実施の形態のパンツの正面図である。
【図２】図１のパンツの指掛部の構成と機能を説明するための図であって、（Ａ）は指を挿入しない状態の部分縦断面図、（Ｂ）は指を挿入した状態の部分縦断面図である。
【図３】（Ａ）及び（Ｂ）は、図１のパンツの指掛部に内側から指を挿入した状態を示す部分縦断面図である。
【図４】図２（Ａ）のパンツ上端側の詳細な構成を示す拡大した部分縦断面図である。
【図５】（Ａ）は図４のスリット構成部材の応用例を示す部分縦断面図、（Ｂ）は図４のベルト部と上側のスリット構成部材の接続状態の応用例を示す部分縦断面図である。
【図６】図１のパンツの側面図である。
【図７】指掛部の応用例の構成と機能を説明するための図であって、（Ａ）は指を挿入しない状態の部分縦断面図、（Ｂ）は指を挿入した状態の部分縦断面図である。
【図８】図１のパンツの応用例を示す正面図である。
【図９】図８のパンツの指掛部の構成と機能を説明するための図であって、（Ａ）は指を挿入しない状態の部分縦断面図、（Ｂ）は指を挿入した状態の部分縦断面図である。
【発明を実施するための形態】
【００１８】
以下に、図面を参照しながら本発明を実施するための形態を説明する。尚、本発明において、スリットには、一つの部材を切り込んで形成したものだけではなく、複数の部材が組み合わさることで結果的にその合わせ部分に切り込み形状が形成されたものも含まれ、２つの部材の端部側が重なって形成されるものも含まれるものとする。
【００１９】
図１は、本実施の形態であるパンツ１の構成を示している。このパンツ１は、女性用下着としてのショーツであるが、手足を自在に動かしにくくなった高齢者や病気等で手足がある程度不自由になった非健常者が使用することを想定したものであり、手指の力が僅かしかなく、動く範囲も限定されている場合であっても、その脱ぎ着を行えるようにしたものである。
【００２０】
斯かる高齢者・非健常者を想定した本実施の形態のパンツ１は、上端に平ゴムを挿通したベルト部６を有し、そのすぐ下方において、指を挿入して引掛けるための指掛部２１，２２をパンツ前面２の左右対称位置に有している。この指掛部２１，２２は、指２〜３本を挿入できる長さでパンツ外面から内面まで貫通しながら横方向に形成したスリット２１０，２２０を各々有している。
【００２１】
また、この指掛部２１，２２は、図のように指を挿入しない状態においては、下側のスリット構成部材２１ｂ，２２ｂの上端側所定範囲に、上側のスリット構成部材２１ａ，２２ａ下端側が外側から被さることで重なり部分を形成し、スリット２１０が閉じた状態を維持するようになっており、この点が本発明の特徴部分となっている。
【００２２】
即ち、上述した従来の高齢者・非健常者用のパンツにおいても、上端側に輪形状の指掛部を備えてこれに指を挿通して引掛けることにより、比較的容易に脱ぎ着を行えるようになっているが、その輪形状の指掛部が常にパンツ上端側から外周方向に突出した状態となるため、周囲の物に引っ掛かりやすいとともに見栄えの悪いという難点を有していた。一方、パンツ上端側に単にスリットを設けるだけでは、そのスリットが緩んで開口窓となってしまうため、同様に見栄えの悪いものとなる。
【００２３】
そこで、本発明においては、指掛部２１，２２において外周方向に突出しないスリット方式を採用することに加え、指を挿入しない装着時等の通常の状態では、スリット２１０，２２０を構成している上下の部材が重なり合って閉じる構成として、その部分で肌が露出することを回避して外観を損なわないようにしたものである。
【００２４】
また、パンツ１を装着した状態において各スリット２１０，２２０が閉じた状態を維持することで、身の回りのものに不用意に引掛かることが殆どなくなるとともに、その指掛部２１，２２自体が殆ど目立たずに非健常者用のパンツのようには見えないことから、他人に下着を見られるような場所であっても使用者は気にすることなく出掛けやすいものとなっている。
【００２５】
次に、図２〜図４を参照しながら、本実施の形態であるパンツ１における指掛部２１，２２の構成と機能をさらに詳細に説明する。図２は、パンツ前面２の左側の指掛部２１の構造を簡単に示した部分縦断面図であるが、図２（Ａ）に示すように、そのスリット２１０は、上側のスリット構成部材２１ａと下側のスリット構成部材２１ｂの合わせ部分に形成されている。
【００２６】
また、この指掛部２１は、前述したように、下側のスリット構成部材２１ｂの上端側所定範囲に上側のスリット構成部材２１ａの下端側が外側から被さって重なり部分を形成するようになっており、少なくとも装着した状態においてはスリット２１０が開口窓を形成しないものとされ、その部分において腹部１００の肌が露出しない状態を維持する機能を有している。尚、このように上側の部材が下側の部材に被さった重なり部分で段差が形成されていることにより、例えば視力が低下した使用者にあっては、この部分を触ることでパンツ１の前後や裏表を容易に判断することができ、また、これを履く際には、パンツ表面で指を下側からなぞるだけで指掛部２１の位置が認識されるとともにそのまま指先がスリット２１０に挿入される。
【００２７】
一方、図２（Ｂ）はパンツ１を履くためにスリット２１０に対し外側から指（人差し指等）１１０を挿入した状態を示している。この場合、鈎状に曲がった状態の指１１０の先端側をスリット２１０に対し斜め下から挿入して上側のスリット構成部材２１ａの下端から内側面に亘って指先を引掛けて動作を行うものであり、指１１０に僅かな力しか入らない状況であっても、そのままパンツ１を引き上げることで比較的容易に履くことができる。
【００２８】
図３は、指をスリット２１０に対し内側から挿入して動作を行う場合を示している。この挿入方式は、パンツ１を履く動作だけではなく脱ぐ動作にも応用することができる。図３（Ａ）は、手のひらを正面に向けて人差し指等の親指以外の指１１０を内側から挿入した状態であるが、この場合は手首をある程度捩る動作が行えることを要する。図３（Ｂ）は、手の甲を正面に向けて指（親指）１２０をスリット２１０に対し内側から挿入した状態であり、指先をある程度曲げることができれば、指掛部２１に引掛けて前述と同様の動作を行うことができる。尚、この場合も、指掛部２１において上側の部材が下側の部材に外側から被さった重なり部が形成されていることで、指をパンツ内面に沿って上端側からなぞるだけでスリット２１０の位置が認識できるとともに指先がそのまま挿入される。
【００２９】
図４は、図２（Ａ）のパンツ１上端側の構造をさらに詳細に示したものである。パンツ１の前面上部は、上端側から所定範囲が内側から付設した裏生地２５０で補強されてなる二重構造部２０となっており、これにより、力が加わって変形しやすいパンツ１前面上部側の形態安定性を高めている。
【００３０】
尚、指掛部２１，２２を作成する際にパンツ裏側のまつり位置にて縫い端や糸くずが突出し、これに指が掛かることでスリット２１０，２２０まで誘導されにくくなり、且つ安全性も損ないやすくなるという問題があったが、このように裏生地２５０を追加して下端側のまつり位置を指掛部２１，２２下方の離れた位置としたことにより、この問題を解決することができた。加えて、この二重構造部２０をパンツ前面２の横方向に亘る広範囲に設けたことにより、お腹の冷えを防止する保温機能も発揮するものとなっている。さらに、この裏生地２５０を、遠赤外線機能を高めた機能性繊維を用いて作成すれば、一層保温機能に優れたものとなる。
【００３１】
一方、ベルト部６の内部には、比較的厚い平ゴム６０が設けられており、パンツ１の上端部分の強度と弾性伸縮能を確保している。そして、指掛部２１（指掛部２２も同様）においても、スリット２１０を構成している上側のスリット構成部材２１ａの内部にスリット２１０の全長に亘る帯状の補強材２１１が配設され、また、下側のスリット構成部材２１ｂの内部にも同様に帯状の補強材２１２が配設されている。そのため、指掛部２１は、その他の部分よりも形態維持能が増強されたものとなっている。
【００３２】
この補強材２１１，２１２としては、弾性変形能に富んで不可逆的な弛み変形を生じることの少ない平ゴムやポリウレタン繊維をテープ状に編んだものが好適であり、その左右両端部がスリット２１の両端位置で本体側に堅固に縫い合わされて固定されている。これにより、指掛部２１に指を掛けて何度も引っ張る動作を加えた後であっても、スリット２１０を確実に閉じるものとなる。また、下側のスリット構成部材２１ｂにも補強材２１２を配設したことで、その弛み変形を最小限に抑えることが可能となり、パンツ１の内側から指を挿入しやすい状態を維持できるようになっている。
【００３３】
尚、このように補強材２１１，２１２をスリット構成部材２１ａ，２１ｂの芯として内部に設けるのではなく、図５（Ａ）に示すようにスリット構成部材２３ａ，２３ｂの生地に直接縫いつけたものとしても良い。また、上側のスリット構成部材２１ａ，２２ａは、前述のようにベルト部６と一部重なる構成のほか、図５（Ｂ）に示すように別位置にして、重ならない構成としても良い。
【００３４】
図６は、パンツ１の側面図を示しているが、本実施の形態においては、その左右側面に、他の部分よりも弾性伸縮能に優れたギャザー部材を所定幅で上下に亘って設けてあり、サイド伸縮部４，５を構成したものとなっている。これにより、フリーサイズ効果を与えるとともにパンツ周方向の伸縮性が増大し、パンツ１の脱ぎ着動作において使用者の体勢に応じて弾性変形するものとしている。
【００３５】
そのため、手指が自在に動きにくい使用者であっても、指掛部２１，２２に指を掛けた状態で動作に合わせて伸縮変形して脱ぎ着を行いやすくなり、装着状態においては、体にフィットしやすいことで履き心地が良好なものとなる。尚、履き心地をさらに良好にする観点から、この伸縮部４，５の内側面に縦横に伸縮自在な生地による当て布を設けて、ギャザー部材の凹凸が直接肌に触れないようにすることが好ましい。また、本実施の形態においては、軽失禁対策の目的で尿吸収性シートを使用した吸水部２５を設けている。  
【００３６】
図７は、上述した指掛部２１，２２の応用例としての指掛部２４を示している。この例では、スリット２４０がパンツ内外を貫通していない点を特徴としており、図６（Ａ）に示すように、指掛部２４において上側のスリット構成部材２４ａと下側のスリット構成部材２４ｂ（両者とも上述同様に補強材を有している）とで構成されるスリット２４０は、裏側まで貫通せずに内部が袋状になっている。そのため、内側から指を挿入することは出来ないが、いかなる状況においてもスリット２４０は開口窓とはならないことに加え、スリット２４０開口部分の広がる範囲が限定されることで、さらに形態安定性に優れたものとなっている。
【００３７】
図８は上述したパンツ１の応用例としてのパンツ１Ｂを示し、図９はパンツ１Ｂのスリット２５５，２６５部分の詳細な構成を示している。このパンツ１Ｂは、指掛部２５，２６の構成において上述とは異なる特徴を有している。即ち、下側のスリット構成部材２５ｂ，２６ｂの補強材２５２，２６２の縦方向の幅が上側のスリット構成部材２５ａ，２６ａの補強材２５１，２６１の縦方向の幅よりも大きくなっており、且つ、下側の補強材２５２，２６２の下端側と上側の補強材２５１，２６１の下端側とがほぼ揃った状態となっている。
【００３８】
このように下側の補強材２５２，２６２の縦方向の幅を上側よりも大きくしたのは、指を掛けて引き上げる際に下側の幅が狭いとお腹の地肌が露出しやすくなることから、下側の幅を拡大してこれを防止するようにしたものである（図９（Ｂ）参照）。また、これに加え、パンツ１Ｂの上げ下げ動作において下側のスリット構成部材２５ｂ，２６ｂに指を掛けて行う際には、その部分の強度が増して力をかけやすくなる効果もある。
【００３９】
さらに、芯材になる上下の補強材を重ねながらその下端側がスリット２５５，２６５の位置で揃った状態でその両端側を縫製したことで、スリット位置が分かりやすく指の引掛け動作が容易になるとともに指掛部２５，２６の強度・耐久性が格段に向上するという利点も有している。殊に、本実施の形態では、下側のスリット構成部材２５ｂ，２６ｂに上側のスリット構成部材２５ａ，２６ａが重なる部分の縦方向の幅が２５〜３０ｍｍになることを想定しており、スリット２５５，２６５の全長として想定している約６０ｍｍ（指２〜３本挿入可能な幅）の３分の１以上になる構成としているため、スリット２５５，２６５の形態維持能に一層優れたものとなっている。
【００４０】
加えて、本実施の形態においては、上側の補強材２５１，２６１の縦方向の幅は２０ｍｍ程度、下側の補強材２５２，２６２の縦方向の幅は２５ｍｍ程度を想定し、その素材は伸縮性・耐久性に優れたものを想定している。これは、図９（Ｂ）に示すように、約２０ｍｍの指関節の幅に一致して引掛けやすいものとしながら、所定の強度を有して指を掛けた状態で力を入れやすくするためである。加えて、ベルト部６Ｂの上端からスリット２５，２６までの距離は６０ｍｍ程度を想定しているが、これは、指の付け根から指の長さ（６０ｍｍ）程度で収まるものとして、操作の容易性、殊に引き上げ動作の容易性を確保するためである。
【００４１】
尚、この応用例においては、図８に示したようにパンツ前面２Ｂの構成にも特徴を有している。これは、パンツ前面２Ｂが、その中央部分を構成する二重構造のパーツ２ａ、左側部分を構成するパーツ２ｂ，２ｃ、右側部分を構成するパーツ２ｄ，２ｅの５つのパーツを組み合わせてなることによる。斯かる構成にしたのは、上下の部材を重ねて形成する指掛部２５，２６をパンツ前面２Ｂに設けることは、製造工程上、実際には容易ではなく手間とコストを要してしまうという問題があったからである。
【００４２】
そこで、左右の指掛部２５，２６を、下側のスリット構成部材２５ｂ，２６ｂを有するパーツ２ｃ，２ｅと上側のスリット構成部材２５ａ，２６ａを有するパーツ２ｂ，２ｄとに分けて、各々組み合わせながら縫製する方式としたことにより、過剰な高コスト化を伴わず比較的容易に本実施の形態のパンツ１Ｂを製造できるようにしたものである。
【００４３】
尚、上述の実施の形態では女性用のショーツの場合について説明したが、本発明はこれに限定されるものではなく、女性用のズロース、男性用のブリーフやトランクス等においても適用することは言うまでもなく、上述と同様の機能を発揮することができるものである。
【００４４】
以上、述べたように、手足が不自由な高齢者・非健常者が使用するパンツについて、本発明により、安全性と外観を損なうことなく脱ぎ着の容易さを実現できるものとなった。
【符号の説明】
【００４５】
１，１Ｂ  パンツ、２，２Ｂ  パンツ前面、２ａ，２ｂ，２ｃ，２ｄ  パーツ、４，５  サイド伸縮部、６，６Ｂ  ベルト部、２０  二重構造部、２１，２２，２３，２４，２５，２６  指掛部、２１ａ，２１ｂ，２２ａ，２２ｂ，２４ａ，２４ｂ，２５ａ，２５ｂ，２６ａ，２６ｂ  スリット構成部材、１１０，１２０  指、２１１，２１２，２５１，２５２，２６１，２６２  補強材、２１０，２２０，２３０，２４０，２５５，２６５  スリット、２５０  裏生地
【図１】
0005323976.tif 000002
【図２】
0005323976.tif 000003
【図３】
0005323976.tif 000004
【図４】
0005323976.tif 000005
【図５】
0005323976.tif 000006
【図６】
0005323976.tif 000007
【図７】
0005323976.tif 000008
【図８】
0005323976.tif 000009
【図９】
0005323976.tif 000010